(57)【特許請求の範囲】
【請求項１】
玩具を把持することができる反転および変身玩具車において、
玩具車であって、前記玩具車は、複数の弾性展開部（１）、反転部（３）、および固定部（２）を備えており、前記反転部（３）は、前記玩具車の底または底周囲に配置されており、前記複数の弾性展開部（１）および反転部（３）は、全てが折畳み状態にあるとき、前記固定部（２）と一緒に車両形態を形成するようになっており、開口（２０）が前記玩具車の前端に設けられている、玩具車と、
把持されるべき多数の玩具（６）と、
前記玩具（６）を把持するための弾性把持部（４）であって、前記玩具車の前記開口（２０）の内側または前記開口（２０）の周りの位置に配置されている、弾性把持部（４）と、
スナップ留めアセンブリ（５）であって、前記複数の弾性展開部（１）および反転部（３）は、折畳まれ、次いで、前記折畳み状態を維持するために、前記スナップ留めアセンブリ（５）によってスナップ留めされるようになっており、前記弾性把持部（４）は、把持されるべき状態を維持するために、前記スナップ留めアセンブリ（５）によってスナップ留めされるようになっている、スナップ留めアセンブリ（５）と、
を備え、
前記スナップ留めアセンブリ（５）は、前記玩具車の内側に配置されており、その前端は、前記開口（２０）内に延在しており、前記玩具車が前記玩具（６）に向かって押され、これによって、前記玩具（６）が前記開口（２０）に入り、前記スナップ留めアセンブリ（５）に接触したとき、前記スナップ留めアセンブリ（５）は、前記弾性把持部（４）、前記反転部（３）、および前記弾性展開部（１）とのスナップ接続を解放するようになっており、前記弾性把持部（４）は、前記スナップ接続が解放されたとき、飛び出し、前記玩具（６）を把持し、前記反転部（３）は、前記スナップ接続が解放されたとき、下方に回転し、前記玩具車を宙返りさせるように駆動し、前記各弾性展開部（１）は、前記スナップ接続が解放されたとき、展開し、これによって、前記玩具車を車両形態から第２の形態に変身させるようになっていることを特徴とする、玩具を把持することができる反転および変身玩具車。
【請求項２】
前記スナップ留めアセンブリ（５）は、第１のスナップ留め部（５１）および第２のスナップ留め部（５２）を備えており、前記第１のスナップ留め部（５１）は、前記反転部（３）および／または前記弾性把持部（４）とのスナップ接続に用いられるようになっており、前記第１のスナップ留め部（５１）の前端は、前記玩具車の内部で延び、前記開口（２０）内に入っており、前記第２のスナップ留め部（５２）は、前記複数の弾性展開部（１）とのスナップ接続に用いられるようになっており、
前記第１のスナップ留め部（５１）が前記反転部（３）とのスナップ接続に用いられるとき、前記反転部（３）は、前記弾性把持部（４）および前記第２のスナップ留め部（５２）にそれぞれ係合しており、これによって、前記反転部（３）が前記スナップ接続状態にあるとき、前記弾性把持部（４）は、把持されるべき状態にあり、前記第２のスナップ留め部（５２）は、前記複数の弾性展開部（１）とのスナップ接続状態にあるようになっており、
前記第１のスナップ留め部（５１）が前記反転部（３）および前記弾性把持部（４）とのスナップ接続に用いられるとき、前記反転部（３）は、前記第２のスナップ留め部（５２）に係合しており、これによって、前記反転部（３）がスナップ接続状態にあるとき、前記第２のスナップ留め部（５２）は、前記複数の弾性展開部（１）とのスナップ接続状態にあるようになっており、
前記第１のスナップ留め部（５１）が前記弾性把持部（４）とのスナップ接続に用いられるとき、前記弾性把持部（４）は、前記反転部（３）に係合しており、これによって、前記弾性把持部（４）がスナップ接続状態にあるとき、前記反転部（３）は、スナップ接続状態にあるようになっており、前記反転部（３）は、前記第２のスナップ留め部（５２）に係合しており、これによって、前記反転部（３）がスナップ接続状態にあるとき、前記第２のスナップ留め部（５２）は、前記複数の弾性展開部（１）とのスナップ接続の状態にあるようになっていることを特徴とする、請求項１に記載の玩具を把持することができる反転および変身玩具車。
【請求項３】
前記弾性把持部（４）は、弾性単一アーム把持部であり、前記弾性単一アーム把持部は、前記開口（２０）の上側の内側面または下側の内側面に配置されており、前記弾性単一アーム把持部は、前記第１のスナップ留め部（５１）または前記反転部（３）に係合しており、これによって、前記玩具（６）が前記第１のスナップ留め部（５１）に接触し、前記反転部（３）および／または前記弾性単一アーム把持部とのスナップ接続を解放したとき、前記弾性単一アーム把持部は、前記玩具（６）を把持するようになっており、または前記弾性単一アーム把持部は、それ自体の弾性を用いて、前記玩具（６）が前記開口（２０）に入ったとき、最初、前記弾性単一アーム把持部が押し込まれ、次いで、前記弾性単一アーム把持部の弾性が回復され、前記玩具（６）を把持するようになっていることを特徴とする、請求項２に記載の玩具を把持することができる反転および変身玩具車。
【請求項４】
前記弾性単一アーム把持部は、弾性傾斜プレート（４１）であり、前記弾性傾斜プレート（４１）の中心は、回転シャフト（９１）および捻れバネ（９２）によって、前記開口（２０）の下側の内側面の位置に取り付けられており、前記弾性傾斜プレート（４１）の後部は、前記反転部（３）とのスナップ接続によって、前記弾性傾斜プレート（４１）の前部を上方に傾斜しないように拘束しており、前記反転部（３）は、前記第１のスナップ留め部（５１）によってスナップ接続状態にあり、前記玩具（６）は、前記開口（２０）に入ったときに前記第１のスナップ留め部（５１）に接触し、これによって、前記第１のスナップ留め部（５１）が前記反転部（３）とのスナップ接続を解放し、前記反転部（３）を反転させ、さらに、前記弾性傾斜プレート（４１）のスナップ留めを解放し、これによって、前記弾性傾斜プレート（４１）の上部を上方に傾斜させ、前記玩具（６）を係止させるようになっていることを特徴とする、請求項３に記載の玩具を把持することができる反転および変身玩具車。
【請求項５】
前記弾性単一アーム把持部は、弾性係止突起（４２）であり、前記弾性係止突起（４２）は、係止シート（４２１）、バネ（４２２）、およびボス（４２３）を備えており、前記係止シート（４２１）は、前記開口（２０）の前記上側の内側面と一体になるように設計されており、前記バネ（４２２）は、前記係止シート（４２１）の内側に取り付けられており、前記ボス（４２３）は、前記係止シート（４２１）内に挿入され、部分的に前記係止シート（４２１）の外に延在しており、前記玩具（６）が前記開口（２０）に入ったとき、最初、前記玩具（６）は、前記ボス（４２３）を押し込み、次いで、前記バネ（４２２）の弾性力によって、前記ボス（４２３）が下方に延出し、これによって、前記玩具（６）を把持するようになっていることを特徴とする、請求項３に記載の玩具を把持することができる反転および変身玩具車。
【請求項６】
前記第１のスナップ留め部（５１）は、前記玩具車の内側に配置されて前後に移動することができるようになっているスナップ留めプレート（５１１）であり、前記スナップ留めプレート（５１１）の前端は、前記玩具車の内部で延び、前記開口（２０）内に入っており、前記スナップ留めプレート（５１１）の後端は、リセットバネ（５１２）に接続されており、前記リセットバネ（５１２）によって、前記スナップ留めプレート（５１１）は、後方に移動した後、自動的に前方に移動し、リセットされるようになっており、前記スナップ留めプレート（５１１）の前部の底面に、フック（５１３）が下向きに設けられており、これに対応して、前記反転部（３）に、前記フック（５１３）に係合するための孔（３２）が設けられており、これによって、前記スナップ留めプレート（５１１）による前記反転部（３）のスナップ接続が達成されるようになっていることを特徴とする、請求項３，４，および５のいずれか１項に記載の玩具を把持することができる反転および変身玩具車。
【請求項７】
前記弾性把持部（４）は、弾性二重アーム把持部であり、前記弾性二重アーム把持部は、それぞれ、前記開口（２０）の２つの側に配置されており、前記弾性二重アーム把持部は、前記第１のスナップ留め部（５１）または反転部（３）に係合しており、これによって、前記玩具（６）が前記第１のスナップ留め部（５１）に接触し、前記反転部（３）および／または前記弾性二重アーム把持部とのスナップ接続を解放したとき、前記弾性二重アーム把持部は、前記玩具（６）を把持するようになっていることを特徴とする、請求項２に記載の玩具を把持することができる反転および変身玩具車。
【請求項８】
前記弾性二重アーム把持部は、２つの把持アーム（４３）を備えており、前記把持アーム（４３）は、回転シャフト（９１）および捻れバネ（９２）によって、前記開口（２０）の２つの側に取り付けられており、後方に回転され、前記玩具車の２つの側に一緒に引き込まれており、前記２つの把持アーム（４３）は、前記玩具車の２つの側に一緒に引き込まれたときに前記第１のスナップ留め部（５１）とのスナップ接続によって把持されるべき状態を維持するようになっており、このとき、前記捻れバネ（９２）の弾性力は、拘束状態にあることを特徴とする、請求項７に記載の玩具を把持することができる反転および変身玩具車。
【請求項９】
前記第１のスナップ留め部（５１）は、前記玩具車の内側に配置されて前後に移動することができるようになっているスナップ留めプレート（５１１）であり、前記スナップ留めプレート（５１１）の前端は、前記玩具車の内側において前方に延在し、前記開口（２０）を通って、前記開口（２０）の外に出るようになっており、前記スナップ留めプレート（５１１）の前端部は、前記玩具（６）を前記弾性二重アーム把持部に接触させて前記弾性二重アーム把持部が前記玩具（６）を把持するのを助長するためのタッチ部位（５１４）を備えており、前記スナップ留めプレート（５１１）の後端は、リセットバネ（５１２）に接続されており、前記リセットバネ（５１２）によって、前記スナップ留めプレート（５１１）は、後方に移動した後、自動的に前方に移動し、リセットされるようになっており、前記スナップ留めプレート（５１１）の前部の底面に、フック（５１３）が下向きに設けられており、これに対応して、前記反転部（３）に、前記フック（５１３）と係合するための孔（３２）が設けられており、これによって、前記スナップ留めプレート（５１１）による前記反転部（３）のスナップ接続を達成するようになっていることを特徴とする、請求項８に記載の玩具を把持することができる反転および変身玩具車。
【請求項１０】
前記玩具車の前記固定部（２）は、シャシ部であり、前記複数の弾性展開部（１）は、それらが全て折畳まれた状態にあるとき、前記玩具車の車体を一緒に形成するようになっており、前記スナップ留めアセンブリ（５）は、前記固定部（２）の上に移動可能に取り付けられており、前記第１のスナップ留め部（５１）は、前記固定部（２）の内側に取り付けられ、前後に移動することができるようになっており、前記第２のスナップ留め部（５２）の上部は、前記複数の弾性展開部（１）とスナップ接続して前記折畳み状態を維持するために、前記固定部（２）の外に延在していることを特徴とする、請求項２に記載の玩具を把持することができる反転および変身玩具車。
【請求項１１】
前記弾性展開部（１）は、前記スナップ接続状態が解放されたときに回転によって展開する回転部（１１）と、前記回転部（１１）が折畳まれたときに前記回転部（１１）間を相互係合するための係合部（１２）とを備えており、前記回転部（１１）は、回転シャフト（９１）および捻れバネ（９２）によって前記固定部（２）に接続されており、前記回転部（１１）は、一緒に引き込まれて係合された後、前記第２のスナップ留め部（５２）によって、前記捻れバネ（９２）の弾性力に打ち勝つことによって、車両形態を維持するようになっていることを特徴とする、請求項２または１０に記載の玩具を把持することができる反転および変身玩具車。
【請求項１２】
前記第２のスナップ留め部（５２）は、前後に移動することができるようになっているスナップ接続片であり、前記スナップ接続片の上部に、前記回転部（１１）上に設けられたバックル（１３）とスナップ接続するための対応する突起（５２０）が前向きまたは後向きに設けられており、移動の後前記スナップ接続片を自動的にリセットすることができるリセットバネ（５２４）が、前記スナップ接続片と前記固定部（２）との間に設けられており、前記スナップ接続片の底部は、前記反転部（３）または前記第１のスナップ留め部（５１）に係合しており、前記反転部（３）が反転するかまたは前記第１のスナップ留め部（５１）が作用したとき、前記スナップ接続片は、前方または後方に移動するように駆動され、これによって、前記回転部とのスナップ接続を解放し、前記回転部（１１）を展開させ、前記玩具車を前記車両形態から前記第２の形態に変身させるようになっていることを特徴とする、請求項１１に記載の玩具を把持することができる反転および変身玩具車。
【請求項１３】
前記スナップ接続片は、中心に楔状孔（５２２）が形成されたスナップ接続プレート（５２１）と、前記楔状孔（５２２）内に挿入された楔状ブロック（５２３）と、前記スナップ接続プレート（５２１）の後部に接続された張力バネ（５２５）とを備えており、前記スナップ接続プレート（５２１）は、前記固定部（２）の上面に取り付けられ、前後に移動することができるようになっており、前記スナップ接続プレート（５２１）の前端に、前記回転部（１１）の前記バックル（１３）とスナップ接続するための突起（５２０）が設けられており、前記リセットバネ（５２４）は、前記楔状ブロック（５２３）の上部と前記固定部（２）との間に設けられており、前記楔状ブロック（５２３）の前記底部は、前記車両底の外に延在し、前記反転部（３）の位置に達しており、前記反転部（３）は、前記反転部（３）がスナップ接続状態にあるとき、前記楔状ブロック（５２３）を下方に移動しないように拘束しており、これによって、前記スナップ接続プレート（５２１）は、前方移動状態にあり、前記突起（５２０）と前記バックル（１３）とのスナップ接続が達成されるようになっており、前記反転部（３）が反転したとき、前記楔状ブロック（５２３）への拘束が解放され、前記楔状ブロック（５２３）は、前記リセットバネ（５２４）の弾性力によって下方に移動し、これによって、前記スナップ接続プレート（５２１）を前記張力バネ（５２５）の作用下で後方に移動させ、その結果、前記突起（５２０）と前記バックル（１３）とのスナップ接続を解放するようになっていることを特徴とする、請求項１２に記載の玩具を把持することができる反転および変身玩具車。
【請求項１４】
前記スナップ接続片は、前後に移動することができるようになっているスナップブロック（５２６）であり、前記スナップブロック（５２６）の後端に、前記回転部（１１）の前記バックル（１３）とスナップ接続するための前記突起（５２０）が設けられており、前記リセットバネ（５２４）は、前記スナップブロック（５２６）の前端と前記固定部（２）との間に設けられており、前記スナップブロック（５２６）の底端に、下方に延在するボス（５２７）が設けられており、前記ボス（５２７）は、前記車両底を通って前記反転部（３）の位置まで下方に延在しており、これに対応して、前記反転部（３）の後端に、後方および下方に傾斜する駆動ブロック（３３）が設けられており、前記反転部（３）が反転したとき、前記駆動ブロック（３３）は、相対的に前方および上方に回転し、前記ボス（５２７）を前方に移動させるように駆動し、これによって、前記スナップブロック（５２６）を同期して前方に移動させ、前記突起（５２０）と前記バックル（１３）とのスナップ接続を解放するようになっていることを特徴とする、請求項１２に記載の玩具を把持することができる反転および変身玩具車。
【請求項１５】
前記反転部（３）、前記弾性把持部（４）、および前記弾性展開部（１）の全てのスナップ接続が、スナップ留めプレートによって達成されるようになっており、前記スナップ留めプレートの前端は、前記玩具車の内部で延び、前記開口（２０）内に入っており、前記玩具車が前記玩具（６）の方に押され、前記玩具（６）が前記開口（２０）に入り、前記スナップ留めプレートに接触したとき、前記スナップ留めプレートは、前記反転部（３）、前記弾性把持部（４）、および前記弾性展開部（１）とのスナップ接続を解放し、これによって、前記玩具車が前記玩具（６）を把持し、反転し、第２の形態に変身するようになっていることを特徴とする、請求項１に記載の玩具を把持することができる反転および変身玩具車。
【請求項１６】
前記反転部（３）は、回転シャフト（９１）および捻れバネ（９２）が貫通する後端を有する反転プレート（３１）であり、前記反転プレート（３１）は、前記玩具車の底に取付けられており、前記スナップ留めアセンブリ（５）が前記反転プレート（３１）とのスナップ接続を解放したとき、前記反転プレート（３１）の前端は、前記回転シャフトを中心として１５０°から１８０°下方および後方に反転するようになっていることを特徴とする、請求項１，１３，１４、または１５に記載の玩具を保持することができる反転および変身玩具車。
【請求項１７】
前記車両形態からの変身の後の前記玩具車の第２の形態は、動物形態であることを特徴とする、請求項１，１２，または１５に記載の玩具を保持することができる反転および変身玩具車。
【請求項１８】
前記玩具（６）は、ディスク（６１）であり、ボス（６２）が前記ディスク（６１）の両面の中心に設けられており、溝（６３）が前記ボス（６２）と前記ディスク（６１）の周囲との間に形成されており、前記ディスク（６１）の周囲は、突起リング（６４）と一体に外方に延在しており、前記ボス（６２）の表面に、玩具（６）ごとに異なるパターンが付着またはエンボス加工によって設けられていることを特徴とする、請求項１，３，７，または１５に記載の玩具を把持することができる反転および変身玩具車。
【発明の詳細な説明】
【技術分野】
【０００１】
本発明は、子供用玩具に関し、特に、玩具を把持することができる反転および変身玩具車に関する。
【背景技術】
【０００２】
玩具車は、子供たちの必携玩具の１つになってきている。最近の玩具車は、ますます多くの形態、モデル、および機能を有している。形態の例として、片面車、両面車、チップワゴン、無限軌道車、などが挙げられる。モデルの例として、乗用車、トラック、バス、および列車が挙げられる。機能の例として、手押し、機械駆動、電気駆動、変身可能、銃弾発射能力、などが挙げられる。しかし、既存の玩具車のいずれも、対象物を把持することができない。すなわち、玩具車が移動中に対象物に衝突したとき、該対象物を把持することができない。このような対象物を把持するやり方によれば、該玩具を用いて、単独のプレーヤがプレイすることができ、または二人のプレーヤが相互にプレイすることができる。プレイ中、子供は、多数の対象物から選択することを学ぶことができ、さらに公平な競争を通じて、いかに選択された対象物を取得するかを学ぶことができる。
【０００３】
既存の変身玩具車は、回転または分解／組立によって、１つの形態から他の形態に変身する機能を有している。現在、殆どの変身玩具車は、移動または変身以外のどのような特別の機能、例えば、把持機能を基本的に有していない。その結果、既存の変身玩具車を用いる遊び方は、単純かつ退屈であり、子供たちは、難なく興味を失い、やがて変身玩具車を捨てることになる。
【発明の概要】
【発明が解決しようとする課題】
【０００４】
先行技術の問題を考慮して、本発明の目的は、遊びを通じて子供たちに学ばせ、知能を向上させることもでき、独創的な設計による種々の遊び方が可能な興趣性の高い、玩具を把持することができる反転および変身玩具車を提供することにある。
【課題を解決するための手段】
【０００５】
上記の目的を達成するために、本発明によって用いられる技術的解決策は、玩具を把持することができる反転および変身玩具車において、
玩具車であって、前記玩具車は、複数の弾性展開部、反転部、および固定部を備えており、前記反転部は、前記玩具車の底または底周囲に配置されており、前記複数の弾性展開部および反転部は、全てが折畳み状態にあるとき、固定部と一緒に車両形態を形成するようになっており、開口が前記玩具車の前端に設けられている、玩具車と、
把持されるべき多数の玩具と、
前記玩具を把持するための弾性把持部であって、前記玩具車の前記開口の内側または前記開口の周りの位置に配置されている、弾性把持部と、
スナップ留めアセンブリであって、前記複数の弾性展開部および反転部は、折畳まれ、次いで、前記折畳み状態を維持するために、前記スナップ留めアセンブリによってスナップ留めされるようになっており、前記弾性把持部は、把持されるべき状態を維持するために、前記スナップ留めアセンブリによってスナップ留めされるようになっている、スナップ留めアセンブリと、
を備え、
前記スナップ留めアセンブリは、前記玩具車の内側に配置されており、その前端は、開口内に延在しており、前記玩具車が前記玩具に向かって押され、これによって、前記玩具が開口に入り、前記スナップ留めアセンブリに接触したとき、前記スナップ留めアセンブリは、前記弾性把持部、前記反転部、および前記弾性展開部とのスナップ接続を解放するようになっており、前記弾性把持部は、スナップ接続が解放されたとき、飛び出し、前記玩具を把持し、前記反転部は、前記スナップ接続が解放されたとき、下方に回転し、前記玩具車を宙返りさせるように駆動し、前記各弾性展開部は、前記スナップ接続が解放されたとき、展開し、これによって、前記玩具車を車両形態から第２の形態に変身させるようになっていることを特徴とする、玩具を把持することができる反転および変身玩具車である。
【０００６】
前記玩具車において、前記スナップ留めアセンブリは、第１のスナップ留め部および第２のスナップ留め部を備えており、前記第１のスナップ留め部は、前記反転部および／または前記弾性把持部とのスナップ接続に用いられるようになっており、前記第１のスナップ留め部の前記前端は、前記玩具車の外に延在し、前記開口内に入っており、前記第２のスナップ留め部は、前記複数の弾性展開部とのスナップ接続に用いられるようになっており、前記第１のスナップ留め部が前記反転部とのスナップ接続に用いられるとき、前記反転部は、前記弾性把持部および前記第２のスナップ留め部にそれぞれ係合しており、これによって、前記反転部がスナップ接続状態にあるとき、前記弾性把持部は、把持されるべき状態にあり、前記第２のスナップ留め部は、前記複数の弾性展開部とのスナップ接続状態にあるようになっており、前記第１のスナップ留め部が前記反転部および前記弾性把持部とのスナップ接続に用いられるとき、前記反転部は、前記第２のスナップ留め部に係合しており、これによって、前記反転部がスナップ接続状態にあるときに、前記第２のスナップ留め部は、前記複数の弾性展開部とのスナップ接続状態にあるようになっており、前記第１のスナップ留め部が前記弾性把持部とのスナップ接続に用いられるとき、前記弾性把持部は、前記反転部に係合しており、これによって、前記弾性把持部がスナップ接続状態にあるとき、前記反転部は、スナップ接続状態にあるようになっており、前記反転部は、前記第２のスナップ留め部に係合しており、これによって、前記反転部がスナップ接続状態にあるとき、前記第２のスナップ留め部は、前記複数の弾性展開部とのスナップ接続の状態にあるようになっている。
【０００７】
本発明による弾性把持部は、弾性単一アーム把持部であってもよく、前記弾性単一アーム把持部は、前記開口の上側の内側面または下側の内側面に配置されており、前記弾性単一アーム把持部は、前記第１のスナップ留め部または前記反転部に係合しており、これによって、前記玩具が前記第１のスナップ留め部に接触し、前記反転部および／または前記弾性単一アーム把持部とのスナップ接続を解放したとき、前記弾性単一アーム把持部は、前記玩具を把持するようになっており、または前記弾性単一アーム把持部は、それ自体の弾性を用いて、前記玩具が前記開口に入ったとき、最初、前記弾性単一アーム把持部が押し込まれ、次いで、前記弾性単一アーム把持部の弾性が回復され、前記玩具を把持するようになっている。
【０００８】
さらに、前記弾性単一アーム把持部は、弾性傾斜プレートであってもよく、前記弾性傾斜プレートの中心は、回転シャフトおよび捻れバネによって、前記開口の下側の内側面の位置に取り付けられており、前記弾性傾斜プレートの後部は、前記反転部とのスナップ接続によって、前記弾性傾斜プレートの前部を上方に傾斜しないように拘束しており、前記反転部は、前記第１のスナップ留め部によってスナップ接続状態にあり、前記玩具は、前記開口に入ったときに前記第１のスナップ留め部に接触し、これによって、前記第１のスナップ留め部が前記反転部とのスナップ接続を解放し、前記反転部を反転させ、さらに、前記弾性傾斜プレートのスナップ留めを解放し、これによって、前記弾性傾斜プレートの上部を上方に傾斜させ、前記玩具を係止させるようになっている。
【０００９】
前記弾性単一アーム把持部は、さらに弾性係止突起であってもよく、前記弾性係止突起は、係止シート、バネ、およびボスを備えており、前記係止シートは、前記開口の上側の内側面と一体になるように設計されており、前記バネは、前記係止シートの内側に取り付けられており、前記ボスは、前記係止シート内に挿入され、部分的に前記係止シートの外に延在しており、前記玩具が前記開口に入ったとき、最初、前記玩具は、前記ボスを押し込み、次いで、前記バネの弾性力によって、前記ボスが下方に延出し、これによって、前記弾性単一アーム把持部の弾性が回復され、前記玩具を把持するようになっている。
【００１０】
前記弾性把持部が弾性単一アーム把持部であることに対応して、前記第１のスナップ留め部は、前記玩具車の内側に配置されて前後に移動することができるようになっているスナップ留めプレートであり、前記スナップ留めプレートの前端は、前記玩具車の外に延在し、前記開口内に入っているが、前記開口の外に延在しておらず、前記スナップ留めプレートの後端は、リセットバネに接続されており、前記リセットバネによって、前記スナップ留めプレートは、後方に移動した後、自動的に前方に移動し、リセットされるようになっており、前記スナップ留めプレートの前部の底面に、フックが下向きに設けられており、これに対応して、前記反転部に、前記フックに係合するための孔が設けられており、これによって、前記スナップ留めプレートによる前記反転部のスナップ接続が達成されるようになっている。
【００１１】
本発明による弾性把持部は、さらに弾性二重アーム把持部であってもよく、前記弾性二重アーム把持部は、それぞれ、前記開口の２つの側に配置されており、前記弾性二重アーム把持部は、前記第１のスナップ留め部または前記反転部に係合しており、これによって、前記玩具が前記第１のスナップ留め部に接触し、前記反転部および／または前記弾性二重アーム把持部とのスナップ接続を解放したとき、前記弾性二重アーム把持部は、前記玩具を把持するようになっている。
【００１２】
さらに、前記弾性二重アーム把持部は、２つの把持アームを備えており、これらの把持アームは、回転シャフトおよび捩りバネによって、前記開口の２つの側に取り付けられており、後方に回転され、前記玩具車の２つの側に一緒に引き込まれており、２つの把持アームは、前記玩具車の２つの側に一緒に引き込まれたときに前記第１のスナップ留め部とのスナップ接続によって把持されるべき状態を維持するようになっており、このとき、前記捻れバネの弾性力は、拘束状態にある。
【００１３】
前記弾性把持部が弾性二重アーム把持部であることに対応して、前記第１のスナップ留め部は、前記玩具車の内側に配置されて前後に移動することができるようになっているスナップ留めプレートであり、前記スナップ留めプレートの前端は、前記玩具車の内側において前方に延在し、前記開口を通って、前記開口の外に出るようになっており、前記スナップ留めプレートの前端部は、前記玩具を前記弾性二重アーム把持部に接触させて前記弾性二重アーム把持部が前記玩具を把持するのを助長するためのタッチ部位を備えており、前記スナップ留めプレートの前部の底面に、フックが下向きに設けられており、これに対応して、前記反転部に、前記フックと係合するための孔が設けられており、これによって、前記スナップ留めプレートによる前記反転部のスナップ接続を達成するようになっており、前記玩具車の２つの側に一緒に引き込まれた前記把持アームとスナップ接続するために、前記フックが前記スナップ留めプレートの後部に近い２つの側の位置に設けられており、前記スナップ留めプレートの後端は、リセットバネに接続されており、前記リセットバネによって、前記スナップ留めプレートは、後方に移動した後、自動的に前方に移動し、リセットされるようになっている。
【００１４】
前記弾性単一アーム把持部および前記弾性二重アーム把持部に加えて、本発明による前記弾性把持部は、さらに他の形状または形式の把持部であってもよい。
【００１５】
本発明による玩具車の固定部は、シャシ部であり、複数の弾性展開部は、それらが全て折畳まれた状態にあるとき、前記玩具車の車体を一緒に形成するようになっており、前記スナップ留めアセンブリは、前記固定部の上に移動可能に取り付けられており、前記第１のスナップ留め部は、前記固定部の内側に取り付けられ、前後に移動することができるようになっており、前記第２のスナップ留め部の上部は、複数の弾性展開部とスナップ接続して折畳み状態を維持するために、前記固定部の外に延在している。本発明による玩具車は、駆動装置を備えていない。すなわち、前記玩具車は、プレーヤによって手動で押されるようになっている。しかし、本発明による玩具車は、前記玩具車を駆動させるために、固定部の内側に駆動装置を備えていてもよく、駆動モードは、機械的駆動であってもよいし、または電気的駆動であってもよい。
【００１６】
前記弾性展開部が折畳まれたときに固定するために相互係合することを可能にするために、およびスナップ接続が解放されたときに弾性的に展開させるために、前記弾性展開部は、スナップ接続状態が解放されたときに回転によって展開する回転部と、スナップ接続状態が解放されたときに前記回転部を解放するように弾性的にリセットする捻れバネと、前記回転部が折畳まれたときに回転部間を相互係合するための係合部とを備えており、前記回転部は、一緒に引き込まれて係合された後、前記第２のスナップ留め部によって、捻れバネの弾性力に打ち勝つことによって、車両形態を維持するようになっている。前記回転部が展開されるときの回転方向は、多方向であり、前記回転部は、６方向、すなわち、上方向、下方向、左方向、右方向、前方向、および後方向のいずれに展開されてもよい。
【００１７】
前記第２のスナップ留め部は、前後に移動することができるようになっているスナップ接続片であり、前記スナップ接続片の上部に、前記回転部上に設けられたバックルとスナップ接続するための対応する突起が前向きまたは後向きに設けられており、移動の後前記スナップ接続片を自動的にリセットすることができるリセットバネが、前記スナップ接続片と前記固定部との間に設けられており、前記スナップ接続片の底部は、前記反転部または前記第１のスナップ留め部に係合しており、前記反転部が反転するかまたは前記第１のスナップ留め部が作用したとき、前記スナップ接続片は、前方または後方に移動するように駆動され、これによって、前記回転部とのスナップ接続を解放し、前記回転部を展開させ、前記玩具車を車両形態から第２の形態に変身させるようになっている。
【００１８】
前記玩具車が変身する第２の形態の種々の形状に依存して、対応するスナップ接続片は、異なっていてもよく、例えば、前記スナップ接続片は、中心に楔状孔が形成されたスナップ接続プレートと、前記楔状孔内に挿入された楔状ブロックと、前記スナップ接続プレートの後部に接続された張力バネとを備えており、前記スナップ接続プレートは、前記固定部の上面に取り付けられ、前後に移動することができるようになっており、前記スナップ接続プレートの前端に、前記回転部のバックルとスナップ接続するための突起が設けられており、前記リセットバネは、前記楔状ブロックの上部と前記固定部との間に設けられており、前記楔状ブロックの底部は、車両底の外に延在し、前記反転部の位置に達しており、前記反転部は、前記反転部がスナップ接続状態にあるとき、前記楔状ブロックを下方に移動しないように拘束しており、これによって、前記スナップ接続プレートは、前方移動状態にあり、前記突起と前記バックルとのスナップ接続が達成されるようになっており、前記反転部が反転したとき、前記楔状ブロックへの拘束が解放され、前記楔状ブロックは、前記リセットバネの弾性力によって下方に移動し、これによって、前記スナップ接続プレートを張力バネの作用下で後方に移動させ、その結果、前記突起と前記バックルとのスナップ接続を解放するようになっている。他の例では、前記スナップ接続片は、前後に移動することができるようになっているスナップブロックであり、前記スナップブロックの後端に、前記回転部のバックルとスナップ接続するための突起が設けられており、前記リセットバネは、前記スナップブロックの前端と前記固定部との間に設けられており、前記スナップブロックの底端に、下方に延在するボスが設けられており、前記ボスは、車両底を通って前記反転部の位置まで下方に延在しており、これに対応して、前記反転部の後端に、後方および下方に傾斜する駆動ブロックが設けられており、前記反転部が反転したとき、前記駆動ブロックは、相対的に前方および上方に回転し、前記ボスを前方に移動させるように駆動し、これによって、前記スナップブロックを同期して前方に移動させ、前記突起と前記バックルとのスナップ接続を解放するようになっている。本発明によるスナップ接続片は、上記の２つの構造に制限されるものではない。
【００１９】
本発明によるスナップ留めアセンブリは、一般的なスナップ留めプレートであってもよく、前記反転部、前記弾性把持部、および前記弾性展開部の全てのスナップ接続が、一般的なスナップ留めプレートによって達成されるようになっており、一般的なスナップ留めプレートの前端は、前記玩具車の外に延在し、前記開口内に入っており、前記玩具車が前記玩具の方に押され、玩具が開口に入り、一般的なスナップ留めプレートに接触したとき、一般的なスナップ留めプレートは、前記反転部、前記弾性把持部、および前記弾性展開部とのスナップ接続を解放し、これによって、前記玩具車が前記玩具を把持し、反転し、第２の形態に変身するようになっている。当然のことではあるが、前記スナップ留めアセンブリは、さらにスナップ留めを達成するために２つ以上のスナップ留めプレートを備えていてもよい。
【００２０】
反転後に、前記玩具車が車両底を下向きにして静止して立つことを確実にするために、前記反転部は、前記回転シャフトおよび前記捻れバネが貫通する後端を有する反転プレートであり、前記反転プレートは、前記玩具車の底に取付けられており、前記スナップ留めアセンブリが前記反転プレートとのスナップ接続を解放したとき、前記反転プレートの前端は、前記回転シャフトを中心として１５０°から１８０°下方および後方に反転するようになっている。
【００２１】
車両形態からの変身後の本発明による玩具車の第２の形態は、動物形態である。当然のことではあるが、第２の形態は、植物形態、漫画のキャラクター形態、武器形態、などであってもよい。
【００２２】
把持を容易にし、かつしっかりした把持を確実なものとするために、およびプレイにおける楽しさをさらに高めるために、前記玩具は、ディスクであり、前記ボスが前記ディスクの両面の中心に設けられており、溝が前記ボスと前記ディスクの周囲との間に形成されており、前記ディスクの周囲は、突起リングと一体に外方に延在しており、前記ボスの表面に、前記玩具ごとに異なるパターンが付着またはエンボス加工によって設けられている。
【００２３】
本発明によれば、弾性把持部が玩具車の前端に設けられており、同時に、前記玩具車は、複数の弾性展開部、反転部、および固定部を備える変身可能な構造を有するように設計されている。スナップ留めアセンブリが、弾性展開部、反転部、および弾性把持部をスナップ留めするために用いられ、該スナップ留めアセンブリは、玩具との接触によって、全てのスナップ接続を解放するようになっている。従って、前記玩具車の可動構造を用いることによって、前記玩具車は、玩具を受け入れ、該玩具と衝突し、その結果、スナップ留めアセンブリの動作を引き起こし、弾性把持部、反転部、および弾性展開部とのスナップ接続を解放させ、これによって、弾性把持部が玩具を把持し、反転部が下方に回転し、玩具車を宙返りさせるように駆動し、前記弾性展開部が展開し、これによって、前記玩具車が車両形態から第２の形態に変身することになる。これらの動作は、同時にかつ一列に並んで生じ、これによって、前記玩具車は、より手の込んだ動作効果をもたらし、プレーヤにとってより魅力的なものとなる。その結果、変身玩具車は、もはや、退屈な走行または変身のみをもたらすものではなく、既存の変身玩具車の退屈な遊び方と違って、長続きする種々の遊び方をもたらすことができる。その一方、前記弾性把持部の大きさおよび位置が制限されているので、前記玩具車と前記玩具との間の相互衝撃の強さは、前記弾性把持部がうまく前記玩具を把持することができるかどうかを決定することになる。それ故、子供の手と脳との協調能力ならびに前記玩具車の移動方向および押圧力を制御する能力が試されることになる。この遊びを通じて、子供は、これらの能力を試し、かつ向上させることができ、さらに、選択された対象物を得るためにいかに正しい選択を行なうかおよびいかに正しい方法を用いるかを学ぶことができる。前記玩具車は、第２の形態に変身することができ、さらに玩具を区別するためのパターンが玩具に設けられているので、この情報が二人以上のプレーヤの相互プレイに用いられてもよく、これによって、玩具車による遊び方をさらに増し、相互プレイを通じて、子供の競争心を高め、子供同士または子供と大人との交流を助長することができる。この変身玩具車は、独創的な設計および独特の構造を有しており、種々の新規の遊び方を可能にし、高い興趣性をもたらすことができる。この変身玩具車は、今日の科学に適応するように子供を訓練するための教育および交流を効果的に促進するものであり、種々の形態、型式、および機能を有する種々の玩具車に用いられてもよい。
【００２４】
以下、添付の図面および実施形態を参照して、本発明をさらに詳細に説明する。
【図面の簡単な説明】
【００２５】
【図１】本発明による実施例１の車両形態の三次元構造の図である。
【図２】本発明による実施例１の車両形態の分解構造の図である。
【図３】本発明による実施例１の車両形態の構造の断面図である。
【図４】本発明による実施例１から変身した第２の形態の三次元構造の図である。
【図５】本発明による実施例１から変身した第２の形態の構造の断面図である。
【図６】本発明による実施例１の第２の形態の車体の三次元構造の図である。
【図７】本発明による実施例２の車両形態の三次元構造の図である。
【図８】本発明による実施例２の車両形態の構造の断面図である。
【図９】本発明による実施例３の車両形態の三次元構造の図である。
【図１０】本発明による実施例３の車両形態の分解構造の図である。
【図１１】本発明による実施例３の車両形態の構造の断面図である。
【図１２】本発明による実施例３から変身した第２の形態の三次元構造の図である。
【図１３】本発明による実施例３の第２の形態の構造の断面図である。
【図１４】本発明による実施例３の第２の形態の車体の三次元構造の図である。
【発明を実施するための形態】
【００２６】
図１〜図１４に示されているように、本発明による玩具を把持することができる反転および変身玩具車は、複数の弾性展開部１、反転部３、および固定部３を備える玩具車を備えている。反転部３は、玩具車の底または底周囲に配置されている。複数の弾性展開部１および反転部３は、全てが折畳み状態にあるとき、固定部２と一緒に車両形態を形成するようになっている。開口２０が、玩具車の前端に設けられている。また、玩具車は、把持されるべき多数の玩具６と、玩具６を把持するための弾性把持部４とを備えており、前記弾性把持部４は、玩具車の開口２０の内側または開口２０の周りの位置に配置されている。さらに、玩具車は、スナップ留めアセンブリ５を備えている。複数の弾性展開部１および反転部３は、折畳まれ、次いで、折畳み状態を維持するために、前記スナップ留めアセンブリ５によってスナップ留めされており、弾性把持部４は、把持されるべき状態を維持するために、前記スナップ留めアセンブリ５によってスナップ留めされている。前記スナップ留めアセンブリ５は、玩具車の内側に配置されており、その前端は、開口２０内に延在している。玩具車が玩具６に向かって押され、これによって、玩具６が開口２０内に入り、スナップ留めアセンブリ５に接触すると、スナップ留めアセンブリ５は、弾性把持部４、反転部３、および弾性展開部１とのスナップ接続を解放する。弾性把持部４は、スナップ接続が解放されると、飛び出し、玩具６を把持し、反転部３は、スナップ接続が解放されると、下方に回転し、玩具車を宙返りさせるように駆動し、各弾性展開部１は、スナップ接続が解放されると、展開し、これによって、玩具車を車両形態から第２の形態に変身させることになる。もし玩具車が宙返りし、変身した後、弾性把持部４が玩具６を依然として把持していたなら、該玩具６の取得が表示されるようになっている。このようなプレイによって、子供たちは、選択された対象物を取得するために、いかに正しい選択を行なうべきかおよびいかに正しい方法を用いるべきかを学ぶことができる。さらに、変身玩具車は、二人以上によって、所定期間内に同一プレイモードを用いて、互いから玩具を捕捉し、だれが最も多く玩具６を捕捉したかを示すことによって、プレイすることもできる。このようなプレイは、子供たちの競争心を高め、子供同士または子供と大人との交流を深めることができる。
【実施例１】
【００２７】
図１〜図６に示されているように、玩具車がこの実施形態において変身する第２の形態は、鷲である。この実施形態の固定部２は、シャシ部である。複数の弾性展開部１は、それらが全て折畳み状態にあるとき、玩具車の車体を一緒に形成するようになっている。シャシ部は、基部２２およびカバープレート２１から構成されており、基部２２とカバープレート２１との間に空間が介在している。図２に示されているように、この実施形態のスナップ留めアセンブリ５は、第１のスナップ留め部５１および第２のスナップ留め部５２を備えている。この実施形態の第１のスナップ留め部５１は、基部２２とカバープレート２１との間の空間の内側に配置されて前後に移動することができるスナップ留めプレート５１１である。スナップ留めプレート５１１は、矩形プレートであり、その前端が玩具車の外に延在し、開口２０内に入っているが、開口２０の外に延在していない。スナップ留めプレート５１１の後端は、リセットバネ５１２に接続されている。リセットバネ５１２によって、スナップ留めプレート５１１は、後方に移動した後、自動的に前方に移動し、リセットされることになる。スナップ留めプレート５１１の前部の底面には、フック５１３が下向きに設けられている。スナップ留めプレート５１１のフック５１３が下方に延在し、かつ前後に移動することを可能にするために、正方形孔７０が基部２２に形成されている。この実施例の反転部３は、回転シャフト９１および捩りバネ９２が貫通する後端を有する反転プレート３１である。反転プレート３１は、玩具車の底に取り付けられている。反転プレート３１の前部には、フック５１３と係合するための対応する孔３２が設けられており、これによって、スナップ留めプレート５１１による反転プレート３１のスナップ接続が達成されることになる。反転プレート３１の前端は、スナップ接続部３４と一体になって前方に延在している。スナップ接続部３４は、弾性把持部４とのスナップ接続のために用いられるものである。この実施例の弾性把持部４は、開口２０の下側の内側面に配置された弾性単一アーム把持部である。弾性単一アーム把持部を配置するために、凹部２０１が開口２０の下側の内側面に形成されている。弾性単一アーム把持部は、具体的には、弾性傾斜プレート４１であり、その中心を回転シャフト９１および捻れバネ９２が貫通している。回転シャフト９１に接続するための対応するシャフト孔が、凹部２０１の後部の２つの側に形成されている。弾性傾斜プレート４１は、Ｙ字状プレートであり、前部をなす枝分かれ端を有している。ボス４１１が、該枝分かれ端の上面から外に突出している。弾性傾斜プレート４１の後端は、反転プレート３１の前端のスナップ接続部３４とのスナップ接続によって、把持されるべき状態にあり、このとき、図３に示されているように、捻れバネ９２の弾性力も拘束されている。この実施形態の第２のスナップ留め部５２は、前後に移動することができるスナップブロック５２６である。スナップブロック５２６は、Ｉ字状である。スナップブロク５２６が通る正方形孔７０が、同様に、スナップブロック５２６に対応するカバープレート２１の位置に形成されている。スナップブロック５２６の下側クロスバーは、スナップ留めプレート５１１の上面に配置されており、スナップブロック５２６の後端上の短いクロスバーは、弾性展開部１とのスナップ接続のための突起５２０を形成している。スナップブロック５２６の中央の垂直バーに、凹状孔が形成されている。この凹状孔は、前向きの開端を有している。固定部２には、スナップブロック５２６の前方向に凹状になった突起が設けられている。リセットバネ５２４が、これらの凹状孔と突起との間に設けられている。スナップブロック５２６の下側クロスバーの底部には、下方に延在するボス５２７が設けられている。ボス５２７は、車両底を下方に貫通し、反転部３１の位置に達するようになっており、ボス５２７を下方に延在させるために、正方形孔７０が、スナップ留めプレート５１１および基部２２にさらに形成されている。これに対応して、反転プレート３１の後端には、後方および下方に傾斜する駆動ブロック３３が設けられている。反転部３が反転すると、駆動ブロック３３は、相対的に前方および上方に回転し、ボス５２７を前方に移動させ、これによって、スナップブロック５２６を同期して前方に移動させ、突起５２０と弾性展開部１とのスナップ接続を解放することになる。
【００２８】
図６に示されているように、この実施例の弾性展開部１は、スナップ接続状態が解放されたときに回転によって展開する回転部１１と、回転部１１が折畳まれたときに回転部１１間の相互係合のための係合部１２とを備えている。回転部１１は、回転シャフト９１および捩りバネ９２によって固定部２に接続されている。回転部１１の１つには、スナップブロック５２６の突起５２０とのスナップ留めのためのバックル１３が形成されている。バックル１３は、回転部１１に固定して接続されているかまたは回転部１１に移動可能に接続されている。回転部１１は、一緒に引き込まれて係合されたあと、突起５２０とバックル１３とのスナップ接続によって捩りバネ９２の弾性力に打ち勝つことによって、車両形態を維持することになる。この実施例の回転部１１は、翼回転部１１１、羽根回転部１１４、本体回転部１１２、尾回転部１１３、および爪回転部１１５を備えている。翼回転部１１１には、本体回転部１１２に設けられた係合凹部１２と係合するための係合ボス１２が設けられている。尾回転部１１３には、カバープレート２１の後端と係合するための係合部１２が設けられている。バックル１３は、本体回転部１１２に回転可能に配置されており、本体回転部１１２および爪回転部１１５は、いずれもバックル１３によって突起５２０とスナップ接続し、折畳み状態になっている。羽根回転部１１４は、折畳まれる翼回転部１１１によって折畳まれるようになっている。この実施形態の玩具６は、ディスク６である。ボス６１がディスク６の両面の中心に設けられており、溝６２がボス６１とディスク６の周囲との間に形成されている。ボス６１の表面には、玩具６ごとに異なるパターンが付着またはエンボス加工によって設けられているとよい。
【００２９】
図３に示されているように、玩具車が車両形態にあるとき、すなわち、玩具車がディスク６に衝突せず、従って、ディスク６を把持していないとき、スナップ留めプレート５１１は、その後部のリセットバネ５１２の作用によって前方移動状態にあり、その前部は、開口２０の内側にある。このとき、スナップ留めプレート５１１のフック５１３は、反転プレート３１の孔３２に係留しており、これによって、反転プレート３１の前端のスナップ接続部３４は、弾性傾斜プレート４１の後部に当接し、その結果、弾性傾斜プレート４１の前部は、非傾斜状態にある。その一方、スナップブロック５２６は、そのリセットバネ５２４の作用によって後方移動状態にあり、その突起５２０および爪回転部１１５のバックル１３は、スナップ接続状態にあり、その下方のボス５２７は、同様に後方の位置にあり、反転プレート３１の後部の駆動ブロック３３は、同様に、反転プレート３１がスナップ留めされたときに後方かつ下方に傾斜した状態にある。玩具車が、図５に示されているように、ディスク６に向かって押されたとき、もしディスク６がまさに開口２０に入り、スナップ留めプレート５１１と接触し、これによって、スナップ留めプレート５１１が後方に移動したなら、スナップ留めプレート５１１のフック５１３は、反転プレート３１の孔３２から離脱し、反転プレート３１の前端は、捻れバネ９２の作用によって下方に回転することによって、玩具車の全体を押し上げ、これによって、玩具車の全体が反転することになる。反転プレート３１の回転によって、その前端のスナップ接続部３４が弾性傾斜プレート４１とのスナップ接続から離脱し、弾性傾斜プレート４１の前部が上方に傾斜し、これによって、前部のボス４１１がディスク６の溝６２内にスナップ留めされ、これによって、ディスク６を把持することになる。反転プレート３１は、約１６０°下方および後方に回転するので、その間に、駆動ブロック３３が同様に後下方から前上方に回転し、次いで、スナップブロク５２６のボス５２７と接触し、ボス５２７を前方に移動させるように押し、すなわち、スナップブロック５２６を前方に移動させ、これによって、スナップブロック５２６の突起５２０が爪回転部１１１のバックル１３とのスナップ接続から離脱し、その結果、爪回転部１１１がそれ自体の捻れバネ９２の弾性力によって展開し、これに対応して、他の回転部１１がそれら自体の捻れバネ９２の弾性力によって展開し、これによって、玩具車は、鷲形態に変身することになる。
【実施例２】
【００３０】
図７および図８に示されているように、この実施例において玩具車が変身する第２の形態は、同様に鷲である。実施例１と異なっているのは、この実施例の弾性単一アーム把持部は、それ自体で把持を始動させる弾性係止突起４２であることにある。弾性係止突起４２は、係止シート４１２、バネ４２２、およびボス４２３を備えている。係止シート４２１は、開口２０の上側の内側面と一体になるように設計されている。バネ４２２は、係止シート４２１の内側に取り付けられている。ボス４２３は、係止シート４２１内に挿入され、係止シート４２１の外に部分的に延在している。ボス４２３の底端面が円形なので、ディスク６の縁がボス４２３に衝突すると、ボス４２３を強く押す力成分が生じるが、この力成分は、ボス４２３をバネ４２２の弾性力に打ち勝って係止シート４２１内に押し込めることになる。玩具車は、ディスク６に向かって移動し続け、ボス４２３がディスク６の溝６２に入ると、ボス４２３の押込み力が失われ、ボス４２３は、バネ４２２の弾性力によって下方にリセットされ、溝６２内にスナップ留めされ、その結果、図８に示されるようなディスク６の把持が達成されることになる。他の違いは、反転プレート３１である。反転プレート３１は、もはや弾性単一アーム把持部とスナップ接続する必要がないので、反転プレート３１の前端にスナップ接続部３４を備える必要がない。他の構造は、実施例１におけるのと同じであり、ここでは、説明を省くことにする。
【実施例３】
【００３１】
図９〜図１４に示されているように、この実施例において玩具車が変身する第２の形態は、サソリ形態である。この実施形態の固定部２は、シャシ部およびサソリ形態に変身したときのサソリ本体２３である。複数の展開部１は、それらが全て折畳み状態にあるとき、玩具車の車体を一緒に形成するようになっている。シャシ部は、基部２２およびカバープレート２１をさらに備えており、基部２２とカバープレート２１との間に空間が介在している。図１０に示されているように、この実施例の弾性把持部４は、弾性二重アーム把持部であり、前記弾性二重アーム把持部は、それぞれ、開口の２つの側に配置されている。この実施例のスナップ留めアセンブリ５は、第１のスナップ留め部５１および第２のスナップ留め部５２を備えている。第１のスナップ留め部５１は、基部２２とカバープレート２１との間の空間の内側に配置されて前後に移動することができるスナップ留めプレート５１１である。スナップ留めプレート５１１は、矩形プレートである。スナップ留めプレート５１１の前端は、玩具車の内側および玩具車の開口２０を通って、開口２０の外に延在している。開口２０の外に延在しているスナップ留めプレート５１１の前端部には、タッチ部位５１４が設けられている。タッチ部位５１４は、玩具６と接触し、弾性二重アーム把持部が該玩具６を把持するのを助長するためのものである。タッチ部位５１４は、半円弧状凹部である。スナップ留めプレート５１１の前部の底面には、フック５１３が下向きに設けられている。フック５１３が下方に延在し、前後に移動することを可能にするために、正方形孔７０が基部２２に形成されている。この実施例の反転部３は、回転シャフト９１および捻れバネ９２が貫通する後端を有する反転プレート３１である。反転プレート３１は、玩具車の底に取り付けられている。反転プレート３１の前部には、フック５１３と係合するための対応する孔３２が設けられており、これによって、スナップ留めプレート５１１による反転プレート３１のスナップ接続が達成されることになる。玩具車の２つの側に一緒に引き込まれた弾性二重アーム把持部とのスナップ接続のために、フック５１５が、スナップ留めプレート５１１の後部に近い２つの側の位置に設けられている。スナップ留めプレート５１１の後端は、リセットバネ５１２に接続されている。リセットバネ５１２によって、スナップ留めプレート５１１は、後方に移動した後、自動的に前方に移動し、リセットされることになる。この実施例の弾性二重アーム把持部は、２つの把持アーム４３を備えている。これらの把持アーム４３は、回転シャフト９１および捻れバネ９２によって、開口２０の２つの側に取り付けられており、後方に回転し、玩具車の２つの側に一緒に引き込まれている。把持アーム４３は、ヒンジ接続された長いアーム４３１および短いアーム４３２によって形成されている。捻れバネ９２がヒンジに配置されており、開口２０の２つの側に接続された回転シャフト９１および捻れバネ９２は、長いアーム４３２の他端に接続されている。孔４３０が、短いアーム４３２に形成されている。把持アーム４３は、それらが玩具車の２つの側に一緒に引き込まれたとき、短いアーム４３２の孔４３０とスナップ留めプレート５１１のフック５１５とのスナップ接続によって、把持されるべき状態を維持しており、このとき、２つの捻れバネ９２のいずれの弾性力も、図１１に示されているように、拘束状態にある。
【００３２】
図１０および図１１に示されているように、この実施形態の第２のスナップ留め部５２は、中心に楔状孔５２２が形成されているスナップ接続プレート５２１と、楔状孔５２２内に挿入された楔状ブロック５２３と、スナップ接続プレート５２１の後部に接続された張力バネ５２５とを備えている。スナップ接続プレート５２１は、固定部２のカバープレート２１の上面に取り付けられ、前後に移動することができるようになっており、その前端には弾性展開部１とのスナップ接続のための突起５２０が設けられている。リセットバネ５２４が、楔状ブロック５２３の上部とサソリ本体２３の上部との間に設けられている。楔状ブロック５２３の底部は、車両底の外に延在し、反転プレート３１の位置に達している。カバープレート２１および基部２２の両方に、反転プレート３１がスナップ接続状態にあるときに楔状ブロック５２３が通る正方形孔７０が形成されている。反転プレート３１は、楔状ブロック５２３を下方に移動しないように拘束し、これによって、スナップ接続プレート５２１は、前方移動状態にあり、突起５２０と弾性展開部１とのスナップ接続が達成されることになる。反転プレート３１が反転すると、楔状ブロック５２３への拘束が解放され、楔状ブロック５２３は、リセットバネ５２４の弾性力によって下方に移動し、これによって、スナップ接続プレート５２１を張力バネ５２５の作用下で後方に移動させ、その結果、突起５２０と弾性展開部１とのスナップ接続を解放させることになる。
【００３３】
図１４に示されているように、この実施例の弾性展開部１は、スナップ接続状態が解放されたときに回転によって展開する回転部１１と、回転部１１が折畳まれたときに回転部１１間の相互係合のための係合部１２とを備えている。回転部１１は、回転シャフト９１および捻れバネ９２によって、固定部２に接続されている。回転部１１の１つに、スナップ接続プレート５２１の突起５２０とのスナップ留めのためのバックル１３が形成されている。回転部１１は、一緒に引き込まれて係合された後、突起５２０とバックル１３とのスナップ接続によって捻れバネ９２の弾性力に打ち勝つことによって、車両形態を維持することになる。この実施例の突起５２０は、「丘（hill）」状突起５２０であり、スナップ留め位置が、「丘」状突起５２０の２つの側に形成されている。中央の垂直バーの前端面には、弾性ボスが設けられている。この実施例の回転部１１は、２つの鋏回転部１１６、背筋回転部１１７、および尾節回転部１１８を備えている。鋏回転部１１６には、「丘」状突起５２０のスナップ留め位置との係合のための係合ボス１２が設けられている。バックル１３は、尾節回転部１１８の端に固定して配置されている。バックル１３は、弾性ボスが延入するための丸孔である。尾節回転部１１８は、弾性ボスを丸孔内にスナップ留めすることによって、折畳み状態にある。背筋回転部１１７は、折畳まれた尾節回転部１１８によって折り畳まれている。この実施形態の玩具６は、ディスク６である。ボス６１がディスク６の両面の中心に設けられている。ボス６１の表面には、玩具６ごとに異なるパターンが付着またはエンボス加工によって設けられている。ディスク６の周囲は、突起リング６３と一体になって外方に延在している。把持アーム４３の把持接触面には、突起リング６３を部分的に巻き込むことができる対応する巻込み凹部４３３が設けられており、これによって、緊密な把持が得られることになる。
【００３４】
図１１に示されているように、玩具車が車両形態にあるとき、すなわち、玩具車がディスク６に衝突せずに、従って、ディスク６を把持していない状態にあるとき、スナップ留めプレート５１１は、その後部のリセットバネ５１２の作用によって、前方移動状態にあり、その前部は、開口２０の外に延出しており、スナップ留めプレート５１１の後側のフック５１５は、前方移動状態にあり、玩具車の２つの側に一緒に引き込まれた把持部４３を係留しており、スナップ留めプレート５１１の底部のフック５１３は、反転プレート３１の孔３２を係留しており、これによって、反転プレート３１の上面は、楔状ブロック５２３に当接しており、楔状ブロック６２３の傾斜面は、スナップ接続プレート５２１の楔部状孔５２２の傾斜面に作用し、これによって、スナップ接続プレート５２１は、前方移動状態にある。このとき、スナップ接続プレート５２１の「丘」状突起の弾性ボス５２０は、尾節回転部１１８の運動を阻止し、「丘」状突起５２０の２つの側のスナップ留め位置は、鋏回転部１１６をスナップ留めしている。図１３に示されているように、玩具車がディスク６に向かって押されたとき、もしディスク６がスナップ留めプレート５１１の前端の半円弧凹部５１４にまさに接触し、これによって、スナップ留めプレート５１１が後方に移動したなら、スナップ留めプレート５１１のフック５１５は、後方に移動し、把持アーム４３の孔４３０から離脱し、把持アーム４３とのスナップ接続が解放されたとき、長いアーム４３１および短いアーム４３２の両方が捻れバネ９２の弾性力によって前方に移動し、人の手のようにディスク６を包囲する。このとき、スナップ留めプレート５１１の後方移動によって、同様に、フック５１３が反転プレート３１の孔３２から離脱し、反転プレート３１の前端は、その捻れバネ９２の作用によって、約１８０°下方に回転することによって、玩具車の全体を押し上げ、これによって、玩具車の全体が反転することになる。反転プレート３１の回転によって、楔状ブロック５２３の底は、支持を失い、その上部のリセットバネ５２４の弾性力によって下方に移動し、これによって、スナップ接続プレート５２１への作用を失うことになる。その結果、スナップ接続プレート５２１は、その後部の張力バネ９２の作用の下で後方に移動し、これによって、弾性ボスは、尾節回転部１１８とのスナップ接続から離脱し、スナップ位置が鋏回転部１１６とのスナップ接続から離脱し、その結果、尾節回転部１１８および鋏回転部１１６は、それら自体の捻れバネ９２の弾性力によって展開し、これに応じて、背筋回転部１１７は、係合を失い、それ自体の捻れバネ９２の弾性力によって展開し、これによって、玩具車は、サソリ形態に変身することになる。
【００３５】
本発明による玩具車の具体的な遊び方は、以下の通りである。
【００３６】
一人プレーヤゲーム：ディスク６をプレーヤの前から比較的遠く離れた位置に散らばらせ、玩具車を片手で握り、該玩具車を選択したディスク６に向かって押す。玩具車が玩具６にまさに接触すると、弾性把持部４がディスク６を把持する可能性がある。しかし、プレーヤによる玩具車の押圧力および押圧角ならびに玩具車の反転および変身中の慣性および振動に依存して、弾性把持部４は、必ずしもディスク６を把持することができるとは限らない。このゲームを通じて、手と脳との子供の協調能力および子供の制御能力、例えば、方向感覚および力感覚が試されることになる。
【００３７】
二人以上のプレーヤによるゲーム：ディスク６を二人のプレーヤの間に散らばらせ、プレイの順番を決定し、第１のプレーヤが最初選択したディスク６を把持するために玩具車を押し、選択したディスク６を把持し、続いて、第１のプレーヤがこのときうまくディスク６を把持したかどうかに関わらず、第２のプレーヤが玩具車を押す。これによって、所定時間内または全てのディスク６が把持されたとき、最も多くのディスク６を得たプレーヤが勝者になる。このゲームを通じて、子供の競争心が高められ、子供らは、いかに正確な選択を行なうかおよびいかに正しい方法によって所望の対象物を取得するかを学ぶことができる。
【００３８】
ゲームの拡張：二人以上のプレーヤによるゲームのさらなる発展。このゲームは、ディスクのパターン情報に関連するものである。ディスク６のパターンによって、ディスク６の強さ（power）が異なっている。所定時間または所定プレイ回数内に、両者が交互にディスク６を把持し、最終的に、全ての把持したディスク６を合計することによって、強さを比較し、より強い方が勝者になる。このゲームでは、勝者は、より多く把持したプレーヤではない。もし一方のプレーヤがより弱いディスク６をより多く把持したなら、該プレーヤは、ゲームを失うことになる。従って、このゲームは、目標とするディスク６の選択およびそれらがプレーヤによって把持され得るかどうかの可能性の決定にさらに集中させ、これによって、多数の対象物から高い成功率を有する必要なものを素早く選択するように、子供らをさらに訓練することができる。
【００３９】
本発明を特定の実施例を参照して説明してきたが、この記載は、本発明を制限することを意図するものではない。本発明の記載を参照すれば、当業者は、記載された実施例に対する他の変更形態を予期することができるだろう。しかし、それらの変更形態は、請求項に包含されることになる。
【図１】
0006309648.tif 000002
【図２】
0006309648.tif 000003
【図３】
0006309648.tif 000004
【図４】
0006309648.tif 000005
【図５】
0006309648.tif 000006
【図６】
0006309648.tif 000007
【図７】
0006309648.tif 000008
【図８】
0006309648.tif 000009
【図９】
0006309648.tif 000010
【図１０】
0006309648.tif 000011
【図１１】
0006309648.tif 000012
【図１２】
0006309648.tif 000013
【図１３】
0006309648.tif 000014
【図１４】
0006309648.tif 000015